(57)【特許請求の範囲】
【請求項１】
正極、負極、及びセパレータからなる発電要素と、
電池ケースであって、
少なくとも、最も内側に位置する内側樹脂フィルム、この内側樹脂フィルムの外側に隣り合って位置する金属フィルムを有するラミネートフィルムからなり、
折り返した１枚の上記ラミネートフィルムを重ね合わせて、または、２枚の上記ラミネートフィルムを重ね合わせて、上記内側樹脂フィルム同士を熱溶着し、上記発電要素を内部に封止する溶着封止部を有する
電池ケースと、
を備える単電池を複数、積層方向に一列に積層してなる
組電池であって、
上記単電池の上記電池ケースは、上記溶着封止部の内周縁と上記電池ケースの外周縁との間に、位置決め貫通孔を有し、
上記組電池の上記積層方向の一端から他端にわたって上記積層方向に延びる形状をなし、積層方向に一列に積層された各々の上記単電池の上記位置決め貫通孔を挿通して、上記積層方向に一列に積層された上記単電池同士を連結して、各々の上記単電池を上記積層方向に直交する方向について位置決めする位置決め部材を少なくとも１つ備え、
上記単電池の上記電池ケースのうち、
上記溶着封止部は、
自身の内周縁が、直線状の直線内周縁であり、
上記電池ケースのうち、上記直線内周縁をこれに直交する方向で、且つ上記電池ケースの外周縁側に投影した領域を直交投影領域としたとき、
上記電池ケースの外周縁のうち、上記直交投影領域内に位置する部分が、前記ラミネートフィルムの端縁で構成されてなる
溶着封止辺部を複数含み、
上記電池ケースは、
上記複数の溶着封止辺部にそれぞれ対応する、上記直交投影領域のいずれについても、その領域内に上記位置決め貫通孔を備える
組電池。
【請求項２】
正極、負極、及びセパレータからなる発電要素と、
電池ケースであって、
少なくとも、最も内側に位置する内側樹脂フィルム、この内側樹脂フィルムの外側に隣り合って位置する金属フィルムを有するラミネートフィルムからなり、
折り返した１枚の上記ラミネートフィルムを重ね合わせて、または、２枚の上記ラミネートフィルムを重ね合わせて、上記内側樹脂フィルム同士を熱溶着し、上記発電要素を内部に封止する溶着封止部を有する
電池ケースと、
を備える単電池を複数、積層方向に一列に積層してなる
組電池であって、
上記単電池の上記電池ケースは、上記溶着封止部の内周縁と上記電池ケースの外周縁との間に、位置決め貫通孔を有し、
上記組電池の上記積層方向の一端から他端にわたって上記積層方向に延びる形状をなし、積層方向に一列に積層された各々の上記単電池の上記位置決め貫通孔を挿通して、上記積層方向に一列に積層された上記単電池同士を連結して、各々の上記単電池を上記積層方向に直交する方向について位置決めする位置決め部材を少なくとも１つ備え、
上記単電池の上記電池ケースのうち、
上記溶着封止部は、
自身の内周縁が、直線状の直線内周縁であり、
上記電池ケースのうち、上記直線内周縁をこれに直交する方向で、且つ上記電池ケースの外周縁側に投影した領域を直交投影領域としたとき、
上記電池ケースの外周縁のうち、上記直交投影領域内に位置する部分が、前記ラミネートフィルムの端縁で構成されてなる
溶着封止辺部を複数含み、
上記電池ケースは、
上記複数の溶着封止辺部から選択した１つの弁用溶着封止辺部に対応する、上記直交投影領域内には、上記位置決め貫通孔を備えることなく、
上記複数の溶着封止辺部のうち、上記弁用溶着封止辺部を除いた溶着封止辺部にそれぞれ対応する、上記直交投影領域のいずれについても、その領域内に上記位置決め貫通孔を備える
組電池。
【請求項３】
請求項１または請求項２に記載の組電池であって、
複数の前記単電池を、前記積層方向の外側から挟む一対のエンドプレートであって、前記位置決め部材が挿通されて、上記積層方向に直交する方向について位置決めされてなるエンドプレートを備える
組電池。
【請求項４】
請求項３に記載の組電池であって、
前記位置決め部材は、前記一対のエンドプレートに固定されてなる
組電池。
【請求項５】
請求項１〜請求項４のいずれか一項に記載の組電池であって、
前記溶着封止辺部の前記直線内周縁を４等分し、その中央寄り２つ分を中央直線内周縁としたとき、
前記電池ケースは、
前記直交投影領域のうち、上記中央直線内周縁を、これに直交する方向で且つ前記電池ケースの外周縁側に投影した、中央直交投影領域内に、前記位置決め貫通孔を有してなる
組電池。
【請求項６】
請求項１〜請求項５のいずれか一項に記載の組電池であって、
前記電池ケースは、
前記溶着封止辺部の前記直線内周縁の中央点を通り、上記直線内周縁に直交する仮想中心線上、及び、
上記仮想中心線を挟んで対称の位置、
の少なくともいずれかに、前記位置決め貫通孔を有してなる
組電池。
【発明の詳細な説明】
【技術分野】
【０００１】
本発明は、組電池、特に、金属フィルムと樹脂フィルムとを重ね合わせたラミネートフィルムからなる電池ケースを有する電池を複数、一列に積層してなる組電池に関する。
【背景技術】
【０００２】
近年、電池の小型化、軽量化等の要求に応えるべく、金属フィルムと樹脂フィルムとを重ね合わせたラミネートフィルムにより電池ケースを形成した単電池が、多数提案されている。このような単電池は、例えば、ハイブリッド車や電気自動車などのように、電源として高電圧バッテリを要する場合、複数の当該単電池が積層される形態で直列に接続され、組電池として用いられる（例えば、特許文献１参照）。
【特許文献１】特開２００３−３２３８７４号公報
【０００３】
特許文献１では、複数の板状電池（ラミネートフィルムからなる電池ケースを備える単電池）を積層し、積層した複数の板状電池の周囲にベルトを巻き付けて、組電池を構成している。詳細には、巻き付けたベルトにより、複数の板状電池を締め付けて、各板状電池を加圧状態で保持している。これにより、使用に耐えうる組電池を構成している。
【発明の開示】
【発明が解決しようとする課題】
【０００４】
ところで、特許文献１では、ベルト等により複数の板状電池を締め付けるだけで、各板状電池を加圧状態で保持している。このため、組電池をなす各板状電池を、積層方向に直交する方向について、正確に位置決めすることができないことがあり、電池同士の接続がし難い等の問題があった。また、ラミネートフィルムからなる電池ケースを備える電池は、内圧上昇に伴い電池ケースが膨張した場合に、熱溶着により封止した溶着封止部の一部が剥離して、内部からガス等が漏出する虞もあった。
【０００５】
本発明は、かかる現状に鑑みてなされたものであって、複数の単電池（ラミネートフィルムからなる電池ケースを備える電池）を、簡易に且つ安価に、積層方向に直交する方向について位置決めしてなる組電池を提供することを目的とする。
【課題を解決するための手段】
【０００６】
本発明の一態様は、正極、負極、及びセパレータからなる発電要素と、電池ケースであって、少なくとも、最も内側に位置する内側樹脂フィルム、この内側樹脂フィルムの外側に隣り合って位置する金属フィルムを有するラミネートフィルムからなり、折り返した１枚の上記ラミネートフィルムを重ね合わせて、または、２枚の上記ラミネートフィルムを重ね合わせて、上記内側樹脂フィルム同士を熱溶着し、上記発電要素を内部に封止する溶着封止部を有する電池ケースと、を備える単電池を複数、積層方向に一列に積層してなる組電池であって、上記単電池の上記電池ケースは、上記溶着封止部の内周縁と上記電池ケースの外周縁との間に、位置決め貫通孔を有し、上記組電池の上記積層方向の一端から他端にわたって上記積層方向に延びる形状をなし、積層方向に一列に積層された各々の上記単電池の上記位置決め貫通孔を挿通して、上記積層方向に一列に積層された上記単電池同士を連結して、各々の上記単電池を上記積層方向に直交する方向について位置決めする位置決め部材を少なくとも１つ備え、上記単電池の上記電池ケースのうち、上記溶着封止部は、自身の内周縁が、直線状の直線内周縁であり、上記電池ケースのうち、上記直線内周縁をこれに直交する方向で、且つ上記電池ケースの外周縁側に投影した領域を直交投影領域としたとき、上記電池ケースの外周縁のうち、上記直交投影領域内に位置する部分が、前記ラミネートフィルムの端縁で構成されてなる溶着封止辺部を複数含み、上記電池ケースは、上記複数の溶着封止辺部にそれぞれ対応する上記直交投影領域のいずれについても、その領域内に上記位置決め貫通孔を備える組電池である。
【０００７】
本発明の組電池は、ラミネートフィルムからなる電池ケースを備える単電池を複数、一列に積層してなる組電池であり、しかも、各々の単電池を積層方向に直交する方向について位置決めする位置決め部材を少なくとも１つ備えている。このため、各々の単電池（ラミネートフィルムからなる電池ケースを備える電池）が、適切に、積層方向に直交する方向について位置決めされつつ積層された組電池となる。その上、積層方向に延びる形状をなす位置決め部材により、各々の単電池に設けられた位置決め貫通孔を挿通して、各単電池を積層方向に直交する方向について位置決めしている。このように、極めて簡易な手法により、各単電池を位置決めしつつ積層することができるので、安価な組電池となる。
ところで、ラミネートフィルムからなる電池ケースを備える単電池では、内圧上昇に伴い、電池ケースのうち発電要素を収容する空間をなす収容部（以下、単に収容部ともいう）が膨張すると、これとは反対に、溶着封止辺部は、内側に向かって引き込まれるように変形することがある。このような溶着封止辺部の変形に伴い、溶着封止辺部の一部が剥離して（溶着されていたラミネートフィルム同士が剥離して）封止が破れ、内部のガスや電解液が漏出する虞があった。
これに対し、上述の組電池では、単電池の電池ケースが、複数の溶着封止辺部にそれぞれ対応する直交投影領域（電池ケースのうち、直線内周縁をこれに直交する方向で、且つ上記電池ケースの外周縁側に投影した領域）のいずれについても、その領域内に位置決め貫通孔を備えている。換言すれば、電池ケースのうち、複数の溶着封止辺部にそれぞれ対応する直交投影領域のいずれについても、その領域内に位置決め部材が挿通されている。このため、単電池の内圧が上昇した場合でも、いずれの溶着封止辺部についても、内側に向かって引き込まれるような変形を抑制することができる。従って、いずれの溶着封止辺部についても、溶着封止辺部の一部が剥離して、封止が破れてしまうことを抑制することができる。このため、上述の組電池は、単電池の内圧が上昇した場合でも、溶着封止辺部の一部が剥離して封止が破れてしまう虞のない、信頼性の高い組電池となる。
なお、直線内周縁は、熱溶着により形成されるものであることから、常に一定の形状にできるとは限らないため、完全な直線状の内周縁のみならず、概ね直線状をなす内周縁も含む。また、電池ケースの外周縁のうち、ラミネートフィルムの端縁で構成されている部位とは、ラミネートフィルムが折り返されて、電池ケースの外周縁をなしている部位を除いた部分をいう。また、電池ケースの外周縁まで溶着封止辺部が位置する場合には、電池ケースのうち直交投影領域内に位置する部位が、溶着封止辺部と一致することとなる。
【０００８】
なお、単電池の位置決め貫通孔を、溶着封止部の内周縁と電池ケースの外周縁との間（換言すれば、溶着封止部、または、溶着封止部よりも外周縁側に位置する部位がある場合は、溶着封止部及びその外周縁側に位置する部位の少なくともいずれか）に設けているので、位置決め貫通孔を形成することにより、電池の封止が破れてしまう虞はない。
【０００９】
ここで、位置決め貫通孔を、溶着封止部よりも外周縁側に設ける場合としては、電池ケースの外周縁を封止することなく、それよりも内側の部位を熱溶着して溶着封止部を設けて封止した電池ケースにおいて、熱溶着していない外周縁の位置に位置決め貫通孔を設けた場合を例示できる。但し、位置決め貫通孔の位置は、ラミネートフィルムを熱溶着した溶着封止部と、溶着していない部位との強度の違いを考慮すると、溶着封止部とするのが好ましい。
【００１０】
また、位置決め部材としては、例えば、棒状・筒状の部材やワイヤなどを用いることができる。また、位置決め部材のうち、少なくとも電池ケースと接触する部位には、電気的絶縁を施しておくのが好ましい。
また、ラミネートフィルムは、金属フィルムの外側に、さらに樹脂フィルムや金属フィルムを備えていても良い。また、ラミネートフィルムの形態としては、発電要素を収容するための収容部を凹設した形態を例示することができる。
【００１１】
また、本発明の電池の電池ケースは、平面視矩形状など、ラミネートフィルムを重ね合わせてなる形状であれば、いずれの形状であっても良い。
また、発電要素の構造は、シート状の正極、負極、及びセパレータを捲回してなる捲回型や、板状の正極、負極、及びセパレータを積層した積層型など、いずれの構造であっても良い。
また、本発明の他の態様は、正極、負極、及びセパレータからなる発電要素と、電池ケースであって、少なくとも、最も内側に位置する内側樹脂フィルム、この内側樹脂フィルムの外側に隣り合って位置する金属フィルムを有するラミネートフィルムからなり、折り返した１枚の上記ラミネートフィルムを重ね合わせて、または、２枚の上記ラミネートフィルムを重ね合わせて、上記内側樹脂フィルム同士を熱溶着し、上記発電要素を内部に封止する溶着封止部を有する電池ケースと、を備える単電池を複数、積層方向に一列に積層してなる組電池であって、上記単電池の上記電池ケースは、上記溶着封止部の内周縁と上記電池ケースの外周縁との間に、位置決め貫通孔を有し、上記組電池の上記積層方向の一端から他端にわたって上記積層方向に延びる形状をなし、積層方向に一列に積層された各々の上記単電池の上記位置決め貫通孔を挿通して、上記積層方向に一列に積層された上記単電池同士を連結して、各々の上記単電池を上記積層方向に直交する方向について位置決めする位置決め部材を少なくとも１つ備え、上記単電池の上記電池ケースのうち、上記溶着封止部は、自身の内周縁が、直線状の直線内周縁であり、上記電池ケースのうち、上記直線内周縁をこれに直交する方向で、且つ上記電池ケースの外周縁側に投影した領域を直交投影領域としたとき、上記電池ケースの外周縁のうち、上記直交投影領域内に位置する部分が、前記ラミネートフィルムの端縁で構成されてなる溶着封止辺部を複数含み、上記電池ケースは、上記複数の溶着封止辺部から選択した１つの弁用溶着封止辺部に対応する、上記直交投影領域内には、上記位置決め貫通孔を備えることなく、上記複数の溶着封止辺部のうち上記弁用溶着封止辺部を除いた溶着封止辺部にそれぞれ対応する、上記直交投影領域のいずれについても、その領域内に上記位置決め貫通孔を備える組電池である。
前述のように、ラミネートフィルムからなる電池ケースを備える単電池では、内圧の過昇圧に伴い、電池ケースの収容部が膨張すると、溶着封止辺部が内側に向かって引き込まれるように変形するために、溶着封止辺部の一部が剥離して、封止が破れることがあった。このとき、封止が破れた箇所を通じて、単電池の内部からガスなどが排出されるが、封止が破れる箇所は不定であるために、ガスが排出される箇所を特定することができなかった。このため、例えば、排出されたガスを、排気ダクトを通じて、所定の箇所から排出させようとする場合に、排気ダクトの設計、設置が容易ではなかった。
これに対し、上述の組電池では、単電池の電池ケースが、複数の溶着封止辺部から選択した１つの弁用溶着封止辺部に対応する直交投影領域内には、位置決め貫通孔を備えていない。一方、複数の溶着封止辺部のうち、弁用溶着封止辺部を除いた溶着封止辺部にそれぞれ対応する直交投影領域のいずれについても、その領域内に位置決め貫通孔を備えている。すなわち、弁用溶着封止辺部に対応する直交投影領域内には位置決め部材を挿通することなく、それ以外の溶着封止辺部にそれぞれ対応する直交投影領域のいずれについても、その領域内に位置決め部材を挿通してある。
このため、単電池の内圧が過昇圧となった場合、位置決め部材を挿通させている直交投影領域に対応する溶着封止辺部については、その変形を抑制できるので、封止が破れる虞がない。一方、位置決め部材を挿通させていない直交投影領域に対応する弁用溶着封止辺部では、その変形が抑制されないので、変形により封止が破れる場合がある。換言すれば、単電池の内圧が過昇圧となった場合には、選択的にこの弁用溶着封止辺部において封止を破り、この開封した部位を通じて、ケース内のガスを外部に排出することができる。すなわち、組電池をなす各単電池において、弁用溶着封止辺部に、安全弁の役割を持たせることができる。
さらに、上述の組電池を用いれば、過昇圧となった場合、弁用溶着封止辺部で選択的に封止が破れるため、この弁用溶着封止辺部から排出されるガスを集めるように、排気ダクトを設ければ良く、排気ダクトの設計、設置が容易となる。
【００１２】
さらに、上記いずれかの組電池であって、複数の前記単電池を、前記積層方向の外側から挟む一対のエンドプレートであって、前記位置決め部材が挿通されて、上記積層方向に直交する方向について位置決めされてなるエンドプレートを備える組電池とすると良い。
【００１３】
特許文献１（特開２００３−３２３８７４）にも開示されているように、従来の組電池は、２つのエンドプレート（押え板）の間に各単電池を配置した状態で、ベルト等によりこれらを締め付けるだけで、組電池をなしていた。このため、各々の単電池とエンドプレートとを、積層方向に直交する方向について、正確に位置決めすることができず、これらを適切に、一列に並べて積層できないことがあった。
【００１４】
これに対し、本発明の組電池では、各単電池を位置決めする位置決め部材が、エンドプレートに挿通され、このエンドプレートが、積層方向に直交する方向について位置決めされている。これにより、各々の単電池とエンドプレートとが、適切に、積層方向に直交する方向について位置決めされつつ積層された組電池となる。しかも、上記のように、極めて簡易な手法により、各単電池とエンドプレートとを位置決めすることにより、安価な組電池となる。
【００１５】
さらに、上記の組電池であって、前記位置決め部材は、前記一対のエンドプレートに固定されてなる組電池とすると良い。
【００１６】
本発明の組電池では、位置決め部材が、一対のエンドプレートに固定されている。これにより、位置決め部材により、各単電池とエンドプレートとを、適切に、一列に並べて積層した状態で保持することができる。このように、別途、ベルト等の専用部材を用いることなく、各電池とエンドプレートとを位置決めする位置決め部材を、単電池とエンドプレートとの積層状態を保持するためにも利用することで、製造工程や部品点数などを削減でき、安価となる。
【００１７】
なお、本発明の組電池に用いる位置決め部材は、一対のエンドプレートに固定できるものであれば良いが、例えば、位置決め貫通孔を貫通するボルト（前述した棒状の部材に相当する）と、これに螺合するナットとからなる位置決め部材が挙げられる。このとき、ボルトのうち、少なくとも電池ケースと接触する部位には、電気的絶縁を施しておくのが好ましい。この場合は、上記ボルトを、エンドプレート及び単電池の位置決め貫通孔に挿通させた状態で、上記ナットの位置を調整することにより、エンドプレートを所定の位置に配置することができる。また、ナットを締め付けて、一対のエンドプレートにより、各単電池を互いに積層方向に押圧した状態に保持することもできる。さらには、ナットの締め付けトルクを所定の値にすることで、各単電池にかかる押圧力を適宜調整することもできる。
【００１８】
また、位置決め部材として、両端部に、軸線方向に直交する方向に貫通するピン貫通孔を有する棒状部材と、ピン貫通孔に挿着するピンとからなる位置決め部材を用いるようにしても良い。このとき、棒状部材のうち、少なくとも電池ケースと接触する部位には、電気的絶縁を施しておくのが好ましい。この場合には、棒状部材を、エンドプレート及び単電池の位置決め貫通孔に挿通し、棒状部材の両端部に位置するピン貫通孔の間にエンドプレート及び単電池を配置させた状態で、ピン貫通孔にピンを挿通・係止することで、棒状部材を単電池及びエンドプレートと固定することができる。また、棒状部材のピン貫通孔の位置を適切な位置とすることで、エンドプレートにより、各単電池を互いに積層方向に押圧した状態に保持することもできる。
【００２３】
さらに、上記いずれかの組電池であって、前記溶着封止辺部の前記直線内周縁を４等分し、その中央寄り２つ分を中央直線内周縁としたとき、前記電池ケースは、前記直交投影領域のうち、上記中央直線内周縁を、これに直交する方向で且つ前記電池ケースの外周縁側に投影した、中央直交投影領域内に、前記位置決め貫通孔を有してなる組電池とすると良い。
【００２４】
ラミネートフィルムからなる電池ケースを備える電池は、内圧上昇に伴い電池ケースが膨張すると、溶着封止辺部のうち、特に、直線内周縁に沿う方向にかかる中央部が、内側に向かって電池中心側に引き込まれるように変形し易く、この部分で封止が破れ易い。
【００２５】
これに対し、本発明の組電池では、電池ケースが、直交投影領域内のうち、中央直線内周縁をこれに直交する方向について電池ケースの外周縁側に投影した中央直交投影領域内に、位置決め貫通孔を有している。すなわち、電池ケースのうち中央直交投影領域内に、位置決め部材を挿通してある。このように、電池ケースのうち最も変形する虞のある領域に、位置決め部材を挿通して、効果的に、溶着封止辺部の変形を防止することができる。従って、溶着封止辺部の一部が剥離して、封止が破れてしまう不具合を、より適切に防止することができる。
【００２６】
さらに、上記いずれかの組電池であって、前記電池ケースは、前記溶着封止辺部の前記直線内周縁の中央点を通り、上記直線内周縁に直交する仮想中心線上、及び、上記仮想中心線を挟んで対称の位置、の少なくともいずれかに、前記位置決め貫通孔を有してなる組電池とすると良い。
【００２７】
溶着封止辺部は、電池ケースの収容部が膨張した場合、その中央が最も大きく内側に引き込まれるように変形し、しかも、中央を挟んで対称的に変形する傾向にある。これに対し、本発明の組電池では、電池ケースが、溶着封止辺部の直線内周縁の中央点を通り、直線内周縁に直交する仮想中心線上、及び、仮想中心線を挟んで対称の位置の少なくともいずれかに、位置決め貫通孔を有している。すなわち、直交投影領域内のうち、仮想中心線上、及び、仮想中心線を挟んで対称の位置の少なくともいずれかに、位置決め部材を挿通してある。これにより、単電池の内圧の過昇圧に伴い、電池ケースの収容部が膨張した場合でも、溶着封止辺部が内側に引き込まれるように変形し難くなる。従って、溶着封止辺部の一部が剥離して、封止が破れてしまう不具合を、より適切に防止することができる。
【００３５】
また、正極、負極、及びセパレータからなる発電要素と、電池ケースであって、少なくとも、最も内側に位置する内側樹脂フィルム、この内側樹脂フィルムの外側に隣り合って位置する金属フィルムを有するラミネートフィルムからなり、折り返した１枚の上記ラミネートフィルムを重ね合わせて、または、２枚の上記ラミネートフィルムを重ね合わせて、上記内側樹脂フィルム同士を熱溶着し、上記発電要素を内部に封止する溶着封止部を有する電池ケースと、を備える単電池を複数、積層方向に一列に積層してなる組電池の製造方法であって、上記単電池の上記電池ケースのうち、上記溶着封止部の内周縁と上記電池ケースの外周縁との間に、上記積層方向に延びる形状をなす位置決め部材を挿通して、各々の上記単電池を上記積層方向に直交する方向について位置決めしつつ、一列に積層する積層工程を備える組電池の製造方法が好ましい。
【００３６】
上述の組電池の製造方法は、ラミネートフィルムからなる電池ケースを備える電池を複数、一列に積層してなる組電池の製造方法である。このような上述の組電池の製造方法では、積層工程において、溶着封止部の内周縁と電池ケースの外周縁との間に、積層方向に延びる形状をなす位置決め部材を挿通して、各々の単電池を積層方向に直交する方向について位置決めしつつ、一列に積層する。このように、極めて簡易な手法により、各電池を位置決めしつつ積層することにより、安価に組電池を製造することができる。
【００３７】
なお、上述の製造方法により製造できる組電池は、構成部材として位置決め部材を備える組電池に限らず、位置決め部材を備えない組電池も含む。すなわち、上述の製造方法では、位置決め部材を、組電池を構成する部材としてそのまま用いても良いし、各単電池を位置決めしつつ積層し、拘束バンド等により結束した後に、位置決め部材を除去するようにしても良い。
【００３８】
また、位置決め部材を、溶着封止部の内周縁と電池ケースの外周縁との間（換言すれば、溶着封止部、または、溶着封止部よりも外周縁側に位置する部位がある場合は、溶着封止部及びその外周縁側に位置する部位の少なくともいずれか）に挿通させているので、位置決め部材を挿通させることにより、電池の封止が破れてしまう虞はない。ここで、位置決め部材を、溶着封止部よりも外周縁側に挿通させる場合としては、電池ケースの外周縁を封止することなく、それよりも内側の部位を熱溶着して溶着封止部を設けて封止した電池ケースにおいて、熱溶着していない外周縁の位置に位置決め部材を挿通させた場合を例示できる。但し、位置決め部材を挿通する位置は、ラミネートフィルムを熱溶着した溶着封止部と、溶着していない部位との強度の違いを考慮すると、溶着封止部とするのが好ましい。
【００３９】
また、正極、負極、及びセパレータからなる発電要素と、電池ケースであって、少なくとも、最も内側に位置する内側樹脂フィルム、この内側樹脂フィルムの外側に隣り合って位置する金属フィルムを有するラミネートフィルムからなり、折り返した１枚の上記ラミネートフィルムを重ね合わせて、または、２枚の上記ラミネートフィルムを重ね合わせて、上記内側樹脂フィルム同士を熱溶着し、上記発電要素を内部に封止する溶着封止部を有する電池ケースと、を備える単電池であって、上記電池ケースは、上記溶着封止部の内周縁と上記電池ケースの外周縁との間に、位置決め貫通孔を有する単電池が好ましい。
【００４０】
上述の単電池では、電池ケースが、溶着封止部の内周縁と電池ケースの外周縁との間に、位置決め貫通孔を有している。このため、上述の単電池を複数用意し、各々の単電池の位置決め貫通孔に、積層方向に延びる形状をなす位置決め部材を挿通することで、各々の単電池を積層方向に直交する方向について位置決めしつつ、一列に積層することができる。このように、上述の単電池を用いることで、極めて簡易な手法により、各電池を積層方向に直交する方向について位置決めしつつ積層できるので、安価に組電池を製造することができる。
【００４１】
さらに、上記の単電池であって、前記電池ケースのうち、前記溶着封止部は、自身の前記内周縁が、直線状の直線内周縁であり、上記電池ケースのうち、上記直線内周縁をこれに直交する方向で、且つ上記電池ケースの外周縁側に投影した領域を直交投影領域としたとき、上記電池ケースの外周縁のうち、上記直交投影領域内に位置する部分が、前記ラミネートフィルムの端縁で構成されてなる部位に位置する溶着封止辺部を含み、上記電池ケースは、上記直交投影領域内に、前記位置決め貫通孔を有する単電池とすると良い。
【００４２】
前述のように、ラミネートフィルムからなる電池ケースを備える単電池では、内圧の過昇圧に伴い、電池ケースの収容部が膨張すると、溶着封止辺部が内側に向かって引き込まれるように変形するために、溶着封止辺部の一部が剥離して、封止が破れることがあった。
【００４３】
これに対し、上述の単電池では、電池ケースが、直交投影領域（電池ケースのうち、直線内周縁をこれに直交する方向で、且つ上記電池ケースの外周縁側に投影した領域）内に、位置決め貫通孔を有している。このため、上述の単電池を複数用い、各単電池の直交投影領域内に位置する位置決め貫通孔に、位置決め部材を挿通するようにして組電池を形成すれば、単電池の内圧が過昇圧となった場合でも、挿通した位置決め部材によって、当該直交投影領域や、これに対応する溶着封止辺部について、上述のような変形を抑制することができる。従って、溶着封止辺部の一部が剥離して、封止が破れてしまう不具合を抑制することができる。
【００４４】
さらに、上記の単電池であって、前記溶着封止部は、複数の前記溶着封止辺部を有し、前記電池ケースは、上記複数の溶着封止辺部にそれぞれ対応する、前記直交投影領域のいずれについても、その領域内に前記位置決め貫通孔を備える単電池とすると良い。
【００４５】
上述の単電池では、複数の溶着封止辺部にそれぞれ対応する直交投影領域のいずれについても、その領域内に位置決め貫通孔を備えている。このため、上述の単電池を用いて組電池を形成するにあたり、電池ケースのうち、複数の溶着封止辺部にそれぞれ対応する直交投影領域のいずれについても、その領域内に位置決め部材を挿通させることができる。これにより、単電池の内圧が上昇した場合でも、いずれの溶着封止辺部についても、内側に向かって引き込まれるような変形を抑制を抑制することができるので、溶着封止辺部の一部が剥離して、封止が破れてしまう不具合を抑制することができる。
従って、上述の単電池によれば、単電池の内圧が上昇した場合でも、溶着封止辺部の一部が剥離して封止が破れてしまう虞のない、信頼性の高い組電池を形成することができる。
【００４６】
さらに、前記の単電池であって、前記溶着封止部は、複数の前記溶着封止辺部を有し、前記電池ケースは、上記複数の溶着封止辺部から選択した１つの弁用溶着封止辺部に対応する、前記直交投影領域内には、前記位置決め貫通孔を備えることなく、上記複数の溶着封止辺部のうち、上記弁用溶着封止辺部を除いた溶着封止辺部にそれぞれ対応する、上記直交投影領域のいずれについても、その領域内に上記位置決め貫通孔を備える単電池とすると良い。
【００４７】
上述の単電池では、複数の溶着封止辺部から選択した１つの弁用溶着封止辺部に対応する直交投影領域内には、位置決め貫通孔を備えていない。一方、複数の溶着封止辺部のうち、弁用溶着封止辺部を除いた溶着封止辺部にそれぞれ対応する直交投影領域のいずれについても、その領域内に位置決め貫通孔を備えている。従って、上述の単電池を用いて組電池を形成するにあたり、弁用溶着封止辺部に対応する直交投影領域内には位置決め部材を挿通することなく、それ以外の溶着封止辺部にそれぞれ対応する直交投影領域には、いずれについても、その領域内に位置決め部材を挿通することができる。
【００４８】
このため、単電池の内圧が過昇圧となった場合、位置決め部材を挿通させている直交投影領域に対応する溶着封止辺部については、その変形を抑制できるので、封止が破れる虞がない。一方、位置決め部材を挿通させていない直交投影領域に対応する弁用溶着封止辺部では、その変形が抑制されないので、変形により封止が破れる場合がある。換言すれば、単電池の内圧が過昇圧となった場合には、選択的にこの弁用溶着封止辺部において封止を破り、この開封した部位を通じて、ケース内のガスを外部に排出することができる。すなわち、上述の単電池では、弁用溶着封止辺部に、安全弁の役割を持たせることができる。
【発明を実施するための最良の形態】
【００４９】
次に、本発明の実施例について、図面を参照しつつ説明する。
図１は、本実施例にかかる単電池１００の平面図である。本実施例１の単電池１００は、図１に示すように、平面視矩形状の電池ケース１１０と、電池ケース１１０の内部から外部に延出する正極端子１２０と、電池ケース１１０の内部から外部に延出する負極端子１３０とを備えている。
【００５０】
さらに、図２に示すように、電池ケース１１０の内部には、発電要素１５０が収容されている。この発電要素１５０は、断面長円状をなし、長尺シート状の正極１５５，負極１５６，セパレータ１５７を捲回してなる扁平型の捲回体である。このうち、正極１５５は、図示していないが、その一端部（正極活物質を含む正極合材が塗工されていない未塗工部）に位置する正極接続部１５５ｂ（図２参照）おいて、正極端子１２０に溶接されている。また、負極１５６は、その一端部（負極活物質を含む負極合材が塗工されていない未塗工部）に位置する負極接続部１５６ｂにおいて、負極端子１３０に溶接されている。
【００５１】
電池ケース１１０は、電池ケース１１０の最も内側に位置する内側樹脂フィルム１１１、この内側樹脂フィルム１１１の外側に隣り合って位置する金属フィルム１１２、及びこの金属フィルム１１２の外側に隣り合って位置する外側樹脂フィルム１１３が積層されたラミネートフィルム１０１で形成されている。この電池ケース１１０は、図２に示すように、収容部１１９内に発電要素１５０を配置させたラミネートフィルム１０１が、折り返し位置１１０ｇで折り返され、図１に示すように、略矩形環状の溶着封止部１１５（電池ケース１１０の周縁部）が熱溶着により封止されて、平面視矩形状に成形されている。
【００５２】
ここで、図１にハッチングで示すように、電池ケース１１０の溶着封止部１１５のうち、その内周縁１１７が直線状の直線内周縁１１７ｂであり、且つ、自身に含まれる電池ケース１１０外周縁１１８がラミネートフィルム１０１の端縁で構成されている部位（換言すれば、折り返し位置１１０ｇを含まない部位）を、それぞれ、第１溶着封止辺部１１５ｂ、第２溶着封止辺部１１５ｃ、第３溶着封止辺部１１５ｄとする。
【００５３】
さらに、第２溶着封止辺部１１５ｃの直線内周縁１１７ｂを、それぞれ４等分し、その中央寄り２つ分を中央直線内周縁１１７ｃとする。このとき、第２溶着封止辺部１１５ｃのうち、中央直線内周縁１１７ｃを、これに直交する方向（図１中、左右方向）で且つ電池ケース１１０の外周縁１１８側（図１中、右側）に投影した領域を、中央直交投影領域Ｓ２とする。
【００５４】
同様に、第３溶着封止辺部１１５ｄの直線内周縁１１７ｂを、それぞれ４等分し、その中央寄り２つ分を中央直線内周縁１１７ｃとする。このとき、第３溶着封止辺部１１５ｄのうち、中央直線内周縁１１７ｃを、これに直交する方向（図１中、左右方向）で且つ電池ケース１１０の外周縁１１８側（図１中、左側）に投影した領域を、中央直交投影領域Ｓ２とする。
【００５５】
なお、本実施例では、電池ケース１１０のうち、直線内周縁１１７ｂをこれに直交する方向で、且つ電池ケース１１０の外周縁１１８側に投影した領域を、直交投影領域Ｓ１としたとき、第２溶着封止辺部１１５ｃ及び第３溶着封止辺部１１５ｄは共に、直交投影領域Ｓ１内に位置する部位と一致している。
【００５６】
さらに、単電池１００では、図１に示すように、電池ケース１１０に、溶着封止部１１５の内周縁１１７と電池ケースの外周縁１１８との間の８カ所に、位置決め貫通孔１１６を設けている。従って、後述するように、この位置決め貫通孔１１６を利用して、複数の単電池１００を積層してなる組電池２００を形成することができる（図３参照）。具体的には、単電池１００の位置決め貫通孔１１６に、位置決め部材２１０を挿通させる形態で、組電池２００を形成することができる。なお、単電池１００の位置決め貫通孔１１６を、溶着封止部１１５の内周縁１１７と電池ケースの外周縁１１８との間に設けているので、位置決め貫通孔１１６を形成することにより、単電池１００の封止が破れてしまう虞はない。
【００５７】
次に、本実施例にかかる組電池２００について説明する。
本実施例の組電池２００は、図３に示すように、複数（本実施例では４つ）の単電池１００と、８組の位置決め部材２１０と、一対のエンドプレート２２０とを有している。位置決め部材２１０は、単電池１００の位置決め貫通孔１１６を挿通可能なボルト２１１と、これに螺合するナット２１２とからなる。エンドプレート２２０は、矩形状の金属板であり、単電池１００の各位置決め貫通孔１１６に対応する位置（組電池２００の積層方向（図中、左右方向）に見て、単電池１００の各位置決め貫通孔１１６と一致する位置）に、位置決め貫通孔２１６を有している。
【００５８】
この組電池２００は、図３に示すように、ボルト２１１（位置決め部材２１０）を、各々の単電池１００に設けられた位置決め貫通孔１１６、及び一対のエンドプレート２２０の位置決め貫通孔２１６に挿通し、ナット２１２で締結してなる。これにより、各単電池１００とエンドプレート２２０とを、その積層方向に直交する方向（図３中、紙面に直交する平面に沿う方向）について位置決めすることができる。従って、組電池２００は、各々の単電池１００とエンドプレート２２０とが、適切に、積層方向に直交する方向について位置決めされつつ積層された組電池となっている。
【００５９】
さらに、組電池２００では、図３に示すように、ナット２１２をボルト２１１に螺合させて、各単電池１００とエンドプレート２２０とを束ねている。このように、別途、単電池１００とエンドプレート２２０とを束ねるために、ベルト等の専用部材を用いることなく、各電池１００とエンドプレート２２０とを位置決めするためのボルト２１１（位置決め部材２１０）を、単電池１００とエンドプレート２２０とを束ねるためにも利用することで、製造工程や部品点数などを削減でき、安価となる。
【００６０】
なお、本実施例の組電池２００では、ナット２１２を所定のトルクで締め付けて、エンドプレート２２０により、各単電池１００を互いに積層方向（図３中、左右方向）に押圧した状態に保持している。
【００６１】
また、電池ケース１１０との電気的絶縁を図るため、ボルト２１１の外周には、図示しないポリプロピレン製の絶縁チューブが嵌め込まれている。なお、この絶縁チューブの材質としては、ポリプロピレンの他、ポリエチレンなどの結晶性汎用プラスチック、ＡＳ，ＡＢＳ，ＰＭＭＡ，ＰＶＣなどの非結晶性汎用プラスチック、ＰＡ，ＰＯＭ，ＰＢＴ，ＰＰＳ，ＰＥＥＫなどの結晶性エンジニアリングプラスチック、ＰＣ，ＰＡＲ，ＰＥＳなどの非結晶性エンジニアリングプラスチック、ＰＦ，ＭＦ，ＥＰ，ＰＵＲなどの熱硬化性樹脂等を用いることができる。
【００６２】
また、電池ケース１１０とボルト２１１との電気的絶縁を図る他の手法として、上述した絶縁チューブと同様の樹脂材料を用いて、射出成形によりボルト２１１の外周に樹脂被覆層を形成する手法を例示することができる。また、ＭＦ（メラミン）系，ＰＵＲ（ウレタン）系の塗料中に、ボルト２１１をディッピング（浸漬）して、ボルト２１１を樹脂コートするようにしても良い。また、ＭＦ（メラミン）系，ＰＵＲ（ウレタン）系の塗料を、ボルト２１１の表面にスプレー塗布することにより、ボルト２１１を樹脂コートするようにしても良い。
【００６３】
ところで、ラミネートフィルムからなる電池ケースを備える電池は、内圧上昇に伴い、電池ケースの収容部が膨張すると、これとは反対に、溶着封止辺部が、内側に引き込まれるように変形する場合がある。特に、溶着封止辺部のうち、直線内周縁に沿う方向にかかる中央部が、内側に引き込まれるように変形し易い。
【００６４】
このため、従来の組電池では、このような溶着封止辺部の変形に伴い、溶着封止辺部の一部が剥離して（溶着されていたラミネートフィルム同士が剥離して）封止が破れることがあった。このとき、封止が破れた箇所を通じて、単電池の内部からガスなどが排出されるが、封止が破れる箇所は不定であるために、ガスが排出される箇所を特定することができなかった。このため、例えば、排出されたガスを、排気ダクトを通じて、所定の箇所から排出させようとする場合に、排気ダクトの設計、設置が容易ではなかった。
【００６５】
これに対し、本実施例の組電池２００では、図１に示すように、単電池１００の電池ケース１１０のうち、第２溶着封止辺部１１５ｃ及び第３溶着封止辺部１１５ｄに、位置決め貫通孔１１６を設けている。そして、各単電池１００について、第２溶着封止辺部１１５ｃ及び第３溶着封止辺部１１５ｄに位置する位置決め貫通孔１１６に、ボルト２１１（位置決め部材）を挿通させている。
【００６６】
これにより、単電池１００の内圧が過昇圧した場合でも、第２溶着封止辺部１１５ｃについて、内側（図１において左側）に引き込まれる変形を抑制することができる。同様に、第３溶着封止辺部１１５ｄについても、内側（図１において右側）に引き込まれる変形を抑制することができる。
【００６７】
特に、本実施例では、第２溶着封止辺部１１５ｃ及び第３溶着封止辺部１１５ｄにおいて、中央直交投影領域Ｓ２内に、位置決め貫通孔１１６を設けている。そして、電池ケース１１０のうち中央直交投影領域Ｓ２内に、ボルト２１１（位置決め部材）を挿通させている。このように、電池ケース１１０のうち最も変形する虞のある領域に、ボルト２１１（位置決め部材）を挿通させることで、効果的に、第２溶着封止辺部１１５ｃ及び第３溶着封止辺部１１５ｄの変形を防止することができる。
【００６８】
しかも、第２溶着封止辺部１１５ｃ及び第３溶着封止辺部１１５ｄの直線内周縁１１７ｂの中央点Ｐ１及びＰ２を通り、直線内周縁１１７ｂに直交する仮想中心線Ｋ１を挟んで対称の位置に、位置決め貫通孔１１６を設けている。すなわち、仮想中心線Ｋ１を挟んで対称の位置に、ボルト２１１（位置決め部材）を挿通させている。これにより、単電池１００の内圧が過昇圧となった場合でも、第２溶着封止辺部１１５ｃ及び第３溶着封止辺部１１５ｄが変形し難くなる。従って、第２溶着封止辺部１１５ｃ及び第３溶着封止辺部１１５ｄにおいて、その一部が剥離して（溶着されていたラミネートフィルム１０１同士が剥離して）、封止が破れてしまう虞がない。
【００６９】
一方、本実施例では、図１に示すように、各単電池１００の第１溶着辺部１１５ｂには、位置決め貫通孔１１６を設けておらず、各単電池１００の第１溶着封止辺部１１５ｂには、ボルト２１１（位置決め部材）を挿通していない。このため、図４に示すように、単電池１００の内圧が過昇圧となった場合、第１溶着封止辺部１１５ｂが、内側（図４において下側）に引き込まれるように変形する。このような変形に伴い、第１溶着封止辺部１１５ｂでは、その一部が剥離して（溶着されていたラミネートフィルム１０１同士が剥離して）、封止が破れることとなる。
【００７０】
換言すれば、単電池１００の内圧が過昇圧となった場合には、選択的に、第１溶着封止辺部１１５ｂでのみ封止が破れ、図４に示すように、この開封した部位を通じて、電池ケース１１０内のガスＧが外部に排出されるようになっている。すなわち、組電池２００をなす各単電池１００において、第１溶着封止辺部１１５ｂに、安全弁の機能を持たせることができる。
なお、本実施例では、第１溶着封止辺部１１５ｂが、弁用溶着封止辺部に相当する。
【００７１】
このような組電池２００に対し、 図４に二点鎖線で示すように、単電池１００の第１溶着封止辺部１１５ｂ側に、第１溶着封止辺部１１５ｂから排出されるガスＧを集めるように、排気ダクト２５０を設けるようにすると良い。これにより、電池ケース１１０内から排出されたガスＧを、適切に、排気ダクト２５０内に集め、この排気ダクト２５０を通じて、所定の箇所からガスＧを排出することができる。このように、本実施例の組電池２００を用いることで、排気ダクトの設計、設置も容易となる。
【００７２】
次に、本実施例１の単電池１００及び組電池２００の製造方法について説明する。
（単電池１００の製造方法）
まず、２種類の金属シートに、それぞれ異なる活物質を含む電極合材（正極合材と負極合材）を塗布して、シート状の正極１５５及び負極１５６を製造する。次いで、正極１５５、負極１５６、及びセパレータ１５７を積層し、これを捲回して扁平捲回型の発電要素１５０を形成する。なお、正極１５５、負極１５６、及びセパレータ１５７を積層する際には、発電要素１５０の一端部から、正極１５５のうち正極合材を塗工していない未塗工部が突出するように、正極１５５を配置しておく。さらには、負極１５６のうち負極合材を塗工していない未塗工部が、正極１５５の未塗工部とは反対側から突出するように、負極１５６を配置しておく。これにより、図２に示すように、正極接続部１５５ｂ及び負極接続部１５６ｂを有する発電要素１５０が形成される。
【００７３】
次に、発電要素１５０の正極接続部１５５ｂと正極端子１２０とを接続する。具体的には、例えば、正極接続部１５５ｂと正極端子１２０とを圧着した状態で溶接（例えば、超音波溶接、スポット溶接）することにより、正極接続部１５５ｂと正極端子１２０とを接続する。同様に、発電要素１５０の負極接続部１５６ｂと負極端子１３０とを接続する。具体的には、例えば、負極接続部１５６ｂと負極端子１３０とを圧着した状態で溶接（例えば、超音波溶接、スポット溶接）することにより、負極接続部１５６ｂと負極端子１３０とを接続する。
【００７４】
これとは別に、ラミネートフィルム１０１を用意する。具体的には、内側樹脂フィルム１１１、金属フィルム１１２、及び外側樹脂フィルム１１３を積層した後、これを押圧成形して、収容部１１９を凹設したラミネートフィルム１０１を得る（図２参照）。次いで、図２に示すように、正極端子１２０及び負極端子１３０を溶接した発電要素１５０を、ラミネートフィルム１０１の収容部１１９内に配置する。次いで、ラミネートフィルム１０１を、その折り返し位置１１０ｇで折り返し、発電要素１５０を内部に収容する。
【００７５】
次いで、溶着封止部１１５を、その厚み方向に加圧しつつ加熱して、内側樹脂フィルム１１１同士を熱溶着させる。これにより、正極端子１２０及び負極端子１３０を電池ケース１１０の内部から外部に延出させつつ、内部に発電要素１５０を封止することができる。次いで、図１に示すように、溶着封止部１１５の所定位置に、位置決め貫通孔１１６を形成することにより、単電池１００が完成する。
【００７６】
（組電池２００の製造方法）
上述のようにして製造した複数（本実施例では４ヶ）の単電池１００の他に、一対のエンドプレート２２０と、８ヶのボルト２１１及びナット２１２（位置決め部材）とを用意する。次いで、図３に示すように、エンドプレート２２０、４ヶの単電池１００、エンドプレート２２０の順で、８ヶのボルト２１１（位置決め部材２１０）を、それぞれの位置決め貫通孔１１６，２１６に挿通する。これにより、各単電池１００とエンドプレート２２０とを、その積層方向（図中、左右方向）に直交する方向（図中、紙面に直交する方向）について位置決めしつつ、積層することができる。
【００７７】
次いで、図３に示すように、ナット２１２をボルト２１１に締結させて、各単電池１００とエンドプレート２２０とを、一列に積層した状態で保持する。詳細には、ナット２１２を所定のトルクで締め付けて、一対のエンドプレート２２０により、各単電池１００を互いに積層方向（図３中、左右方向）に押圧した状態で保持する。これにより、組電池２００が完成する。
【００７８】
（過昇圧試験）
次に、本実施例の組電池２００について、過昇圧試験を行い、開封位置を調査した。具体的には、実施例の組電池２００のサンプルを１０ヶ用意し、各サンプルの単電池１００を、過昇圧の状態としたときに、封止が破れる箇所を調査した。また、比較例として、位置決め部材（ボルト２１１及びナット２１２）ではなく、従来のように（特許文献１：特開２００３−３２３８７４参照）、拘束ベルトにより各単電池１００を積層した組電池についても、同様に、１０ヶのサンプルを用意し、各サンプルについて開封位置を調査した。その結果を表１に示す。なお、表１では、第１〜第３溶着封止辺部１１５ｂ〜１１５ｄを、（ｂ）〜（ｄ）と略して表記している。
【００７９】
【表１】
0005228267.tif 000002
【００８０】
表１に示すように、比較例では、（ｂ）すなわち第１溶着封止辺部１１５ｂで開封したサンプルが２ヶ（サンプル５，７）、（ｃ）すなわち第２溶着封止辺部１１５ｃで開封したサンプルが４ヶ（サンプル３，４，６，８）、（ｄ）すなわち第３溶着封止辺部１１５ｄで開封したサンプルが４ヶ（サンプル１，２，９，１０）であった。この結果より、比較例の組電池では、単電池１００の開封位置が定まらないことがわかる。
【００８１】
これに対し、本実施例の組電池２００では、いずれのサンプルにおいても、（ｂ）すなわち第１溶着封止辺部１１５ｂにおいて、単電池１００が開封した。この結果より、本実施例の組電池２００では、単電池１００の内圧が過昇圧となった場合には、選択的に、第１溶着封止辺部１１５ｂでのみ封止が破れ、図４に示すように、この開封した部位を通じて、電池ケース１１０内のガスＧを外部に排出できるといえる。
【００８２】
（変形例１）
実施例では、図１に示すように、単電池１００において、第１〜第３溶着封止辺部１１５ｂ〜１１５ｄのうち、第１溶着封止辺部１１５ｂには、位置決め貫通孔１１６を設けなかった。すなわち、第１溶着封止辺部１１５ｂには、位置決め部材（ボルト２１１）を挿通しなかった。
【００８３】
これに対し、本変形例１の単電池３００では、図５に示すように、第２溶着封止辺部１１５ｃ及び第３溶着封止辺部１１５ｄに加えて、第１溶着封止辺部１１５ｂにも、位置決め貫通孔１１６を設け、位置決め部材（ボルト２１１）を挿通するようにしている。このため、本変形例１の組電池４００では、図６に示すように、単電池３００の内圧が上昇した場合でも、全ての溶着封止辺部（第１〜第３溶着封止辺部１１５ｂ〜１１５ｄ）について、内側に引き込まれる変形を抑制することができる。従って、単電池３００の内圧が上昇した場合でも、溶着封止部の一部が剥離して、内部からガス等が漏出する虞のない組電池となる。
【００８４】
（変形例２）
実施例の単電池１００では、電池ケース１１０の外周縁１１８まで、溶着封止部１１５を設けた。これに対し、本変形例２の単電池５００では、図７にハッチングで示すように、電池ケース５１０の外周縁５１８まで封止することなく、それよりも内側の部位を熱溶着して、溶着封止部５１５を形成している。
【００８５】
このような形態の単電池でも、本変形例２の単電池５００のように、直交投影領域Ｓ１（電池ケース５１０のうち、直線内周縁５１７ｂをこれに直交する方向で、且つ電池ケース５１０の外周縁５１８側に投影した領域）内に、好ましくは、その中央部に位置する中央直交投影領域Ｓ２内に、位置決め貫通孔１１６を設けるのが良い。これにより、単電池５００の内圧が上昇した場合でも、直交投影領域Ｓ１に対応する溶着封止辺部（具体的には、第２溶着封止辺部５１５ｃ及び第３溶着封止辺部５１５ｄ）の変形を抑制することができる。
なお、位置決め貫通孔５１６は、少なくともその一部を、電池ケース５１０のうち、溶着封止部５１５よりも外周縁側に（溶着していない部位）に設けるようにしても良い。
【００８６】
以上において、本発明を実施例及び変形例１，２に即して説明したが、本発明は上記実施例等に限定されるものではなく、その要旨を逸脱しない範囲で、適宜変更して適用できることはいうまでもない。
例えば、実施例及び変形例１，２の単電池１００，３００，５００では、発電要素として、シート状の正極１５５、負極１５６、及びセパレータ１５７を捲回してなる捲回型の発電要素１５０を用いた。しかしながら、発電要素の構造は、捲回型に限らず、板状の正極、負極、及びセパレータを積層した積層型など、いずれの構造であっても良い。
【００８７】
また、実施例及び変形例１，２では、１枚のラミネートフィルム１０１を、折り返し位置１１０ｇで折り返して、電池ケース１１０を形成した。しかしながら、１枚のラミネートフィルムで電池ケースを形成するのではなく、２枚のラミネートフィルムを重ね合わせて、電池ケースを形成するようにしても良い。
【００８８】
また、実施例では、予め、電池ケース１１０に位置決め貫通孔１１６を設け、この位置決め貫通孔１１６に位置決め部材（ボルト２１１）を挿通するようにして、単電池１００を積層した。しかしながら、位置決め貫通孔１１６を予め設けることなく、例えば、先端が尖った針金などのワイヤ（位置決め部材）で、電池ケースに位置決め貫通孔を穿孔しつつ、この位置決め部材を挿通するようにして、単電池を積層するようにしても良い。
さらには、位置決め部材（例えば、先端が尖った針金などのワイヤ）を、組電池を構成する部材としてそのまま用いても良いし、各単電池を位置決めしつつ積層し、拘束バンド等により結束した後に、位置決め部材を除去するようにして、組電池を製造するようにしても良い。
【図面の簡単な説明】
【００８９】
【図１】実施例にかかる単電池１００の平面図である。
【図２】単電池１００の製造方法を説明する図であり、ラミネートフィルム１０１を重ね合わせる前の様子を示す平面図である。
【図３】単電池１００を積層してなる組電池２００の側面図である。
【図４】組電池２００をなす単電池１００の過昇圧により、第１溶着封止辺部の封止が開放されたときの様子を示す、図３のＢ−Ｂ断面図である。
【図５】変形例１にかかる単電池３００の平面図である。
【図６】変形例１の組電池４００において、単電池３００の内圧が上昇したときの様子を示す説明図である。
【図７】変形例２にかかる単電池５００の平面図である。
【符号の説明】
【００９０】
１００，３００，５００  単電池
２００，４００  組電池
１０１  ラミネートフィルム
１１０，５１０  電池ケース
１１５，５１５  溶着封止部
１１５ｂ，５１５ｂ  第１溶着封止辺部（弁用溶着封止辺部）
１１５ｃ，５１５ｃ  第２溶着封止辺部
１１５ｄ，５１５ｄ  第３溶着封止辺部
１１６，２１６  位置決め貫通孔
１１７，５１７  溶着封止部の内周縁
１１７ｂ，５１７ｂ  直線内周縁
１１７ｃ，５１７ｃ  中央直線内周縁
１１８，５１８  電池ケースの外周縁
２１０  位置決め部材
２２０  エンドプレート
Ｋ１  仮想中央線
Ｓ１  直交投影領域
Ｓ２  中央直交投影領域
【図１】
0005228267.tif 000003
【図２】
0005228267.tif 000004
【図３】
0005228267.tif 000005
【図４】
0005228267.tif 000006
【図５】
0005228267.tif 000007
【図６】
0005228267.tif 000008
【図７】
0005228267.tif 000009